(57)【要約】【課題】簡易に且つ低コストに暗証情報を管理することができるＩＤカード発行システム及びＩＤカード発行方法を提供する。【解決手段】ＩＤカード発行システム１において、受付交付装置１１に、申請者が暗証番号を入力する暗証番号入力部と、当該入力された暗証番号を暗号化する暗号化プログラムを実行したＣＰＵと、当該暗号化された暗号化暗証番号を、申請書にプリント出力する暗号化暗証番号プリント部と、を備え、作成装置１２に、暗号化暗証番号プリント部により申請書に出力された暗号化暗証番号を解読する解読プログラムを実行したＣＰＵと、当該解読された暗証番号を含むＩＤカード情報を記憶したＩＤカードを作成するＩＤカード作成部と、を備えるよう構成した。【選択図】図１
2007293594.tif 000002
【特許請求の範囲】
【請求項１】
申請者からの申請書の提出によってＩＤカードの発行申請を受け付ける受付装置と、当該受付装置により受け付けられた申請者からのＩＤカードの発行申請に従って当該申請者のＩＤカードを作成する作成装置と、を備えるＩＤカード発行システムにおいて、
前記受付装置は、
前記申請者の暗証情報を入力する入力手段と、
前記入力手段により入力された暗証情報を暗号化する暗号化手段と、
前記暗号化手段により暗号化された暗号化暗証情報を、前記申請書に出力する出力手段と、
を備え、
前記作成装置は、
前記出力手段により申請書に出力された暗号化暗証情報を解読する解読手段と、
前記解読手段により解読された暗証情報を含むＩＤカード情報を記憶したＩＤカードを作成する作成手段と、
を備えることを特徴とするＩＤカード発行システム。
【請求項２】
請求項１に記載のＩＤカード発行システムにおいて、
前記作成装置は、
前記解読手段により解読された暗証情報を記憶する記憶手段と、
前記作成手段により作成されたＩＤカードに記憶された暗証情報を、前記記憶手段から消去するよう指示する指示手段と、
を備え、
前記記憶手段は、前記指示手段からの指示に従って、前記暗証情報を消去することを特徴とするＩＤカード発行システム。
【請求項３】
請求項１又は２に記載のＩＤカード発行システムにおいて、
前記暗号化手段は、所定の第１鍵を使用して、前記暗証情報を暗号化し、
前記解読手段は、前記所定の第１鍵に対応する所定の第２鍵を使用して、前記暗号化暗証情報を解読することを特徴とするＩＤカード発行システム。
【請求項４】
請求項１〜３の何れか一項に記載のＩＤカード発行システムにおいて、
当該ＩＤカード発行システムは、前記作成装置により作成されたＩＤカードを前記申請者に交付する交付装置を備え、
前記交付装置は、
前記申請者の暗証情報を入力する第２入力手段と、
前記作成手段により作成されたＩＤカードに記憶された暗証情報を読み出す読出手段と、
前記第２入力手段により入力された暗証情報と、前記読出手段により読み出された暗証情報と、が一致するか否かを判定する判定手段と、
前記判定手段による判定結果を出力する判定結果出力手段と、
を備えることを特徴とするＩＤカード発行システム。
【請求項５】
請求項１〜４の何れか一項に記載のＩＤカード発行システムにおいて、
前記申請者の暗証情報は、暗証番号又は当該申請者の生体認証情報であることを特徴とするＩＤカード発行システム。
【請求項６】
請求項１〜５の何れか一項に記載のＩＤカード発行システムにおいて、
前記受付装置及び／又は前記作成装置がオフラインであることを特徴とするＩＤカード発行システム。
【請求項７】
請求項１に記載のＩＤカード発行システムにおけるＩＤカード発行方法において、
前記入力手段が、前記申請者の暗証情報を入力する入力ステップと、
前記暗号化手段が、前記入力ステップで入力された暗証情報を暗号化する暗号化ステップと、
前記出力手段が、前記暗号化ステップで暗号化された暗証情報を、前記申請書に出力する出力ステップと、
前記解読手段が、前記出力ステップで申請書に出力された暗号化暗証情報を解読する解読ステップと、
前記作成手段が、前記解読ステップで解読された暗証情報を含むＩＤカード情報を記憶したＩＤカードを作成する作成ステップと、
を備えることを特徴とするＩＤカード発行方法。
【発明の詳細な説明】
【技術分野】
【０００１】
本発明は、ＩＤカード発行システム及びＩＤカード発行方法に関する。
【背景技術】
【０００２】
従来、運転免許証等のＩＤカードは、例えば、申請者からの申請書の提出によってＩＤカードの発行申請を受け付ける受付装置と、当該受付装置により受け付けられたＩＤカードの発行申請に従って申請者のＩＤカードを作成する作成装置と、当該作成装置により作成されたＩＤカードを申請者に交付する交付装置と、を備えるＩＤカード発行システムによって発行されるようになっている。
【０００３】
ＩＤカード発行システムは、受付装置と作成装置に接続されるサーバ装置を備えている場合が多く、この場合、例えば、受付装置において、オペレータが申請書に記入された暗証情報等を入力し、サーバ装置において、当該入力された暗証情報等が保存され、作成装置において、当該保存された暗証情報等がサーバ装置から取得されて当該取得された暗証情報等を記憶したＩＤカードが作成されるようになっている。
したがって、この場合、ＩＤカードに記憶される暗証情報は、第三者（オペレータ）が知り得る状況にあるため、セキュリティー上問題がある。
さらに、この場合、ＩＤカード発行システムにおいてＩＤカードが発行された後でも、暗証情報はサーバ装置に保存されたままであるため、セキュリティー上問題がある。
【０００４】
そこで、例えば、ＩＤカードの発行申請時に、申請者に暗証情報を入力させるＩＤカード発行システムが提案された（例えば、特許文献１参照）。
【特許文献１】特開２００５−２８４７３９号公報
【発明の開示】
【発明が解決しようとする課題】
【０００５】
しかしながら、特許文献１のＩＤカード発行システムは、ＩＤカード発行時における暗証情報に対するセキュリティー上の問題は回避できるものの、ＩＤカード発行後における暗証情報に対するセキュリティー上の問題は回避できない。すなわち、サーバ装置に保存された暗証情報を、ＩＤカード発行後においても厳重なセキュリティー下で管理しなければならず、莫大な手間とコストがかかる。
【０００６】
また、ＩＤカード発行システムにおいては、例えば、受付装置と作成装置が、異なる場所に設置されている場合が多く、さらに、オンラインで繋がっていない場合も多い。
この場合、例えば、受付装置が設置された場所から作成装置が設置された場所に、申請書が郵送されて、この郵送された申請書に基づいて、作成装置においてＩＤカードが作成されるようになっている。したがって、郵送時に申請書に記入された暗証情報が漏洩しないよう、暗証情報を高度なセキュリティー下で管理しなければならず、莫大な手間とコストがかかる。
さらに、この場合においても、ＩＤカード発行後、申請書や申請書のイメージを保存しておくようになっているため、やはり、暗証情報を厳重なセキュリティー下で管理しなければならず、莫大な手間とコストがかかる。
【０００７】
本発明の課題は、簡易に且つ低コストに暗証情報を管理することができるＩＤカード発行システム及びＩＤカード発行方法を提供することにある。
【課題を解決するための手段】
【０００８】
上記課題を解決するために、請求項１に記載の発明は、
申請者からの申請書の提出によってＩＤカードの発行申請を受け付ける受付装置と、当該受付装置により受け付けられた申請者からのＩＤカードの発行申請に従って当該申請者のＩＤカードを作成するの作成装置と、を備えるＩＤカード発行システムにおいて、
前記受付装置は、
前記申請者の暗証情報を入力する入力手段と、
前記入力手段により入力された暗証情報を暗号化する暗号化手段と、
前記暗号化手段により暗号化された暗号化暗証情報を、前記申請書に出力する出力手段と、
を備え、
前記作成装置は、
前記出力手段により申請書に出力された暗号化暗証情報を解読する解読手段と、
前記解読手段により解読された暗証情報を含むＩＤカード情報を記憶したＩＤカードを作成する作成手段と、
を備えることを特徴とする。
【０００９】
請求項２に記載の発明は、
請求項１に記載のＩＤカード発行システムにおいて、
前記作成装置は、
前記解読手段により解読された暗証情報を記憶する記憶手段と、
前記作成手段により作成されたＩＤカードに記憶された暗証情報を、前記記憶手段から消去するよう指示する指示手段と、
を備え、
前記記憶手段は、前記指示手段からの指示に従って、前記暗証情報を消去することを特徴とする。
【００１０】
請求項３に記載の発明は、
請求項１又は２に記載のＩＤカード発行システムにおいて、
前記暗号化手段は、所定の第１鍵を使用して、前記暗証情報を暗号化し、
前記解読手段は、前記所定の第１鍵に対応する所定の第２鍵を使用して、前記暗号化暗証情報を解読することを特徴とする。
【００１１】
請求項４に記載の発明は、
請求項１〜３の何れか一項に記載のＩＤカード発行システムにおいて、
当該ＩＤカード発行システムは、前記作成装置により作成されたＩＤカードを前記申請者に交付する交付装置を備え、
前記交付装置は、
前記申請者の暗証情報を入力する第２入力手段と、
前記作成手段により作成されたＩＤカードに記憶された暗証情報を読み出す読出手段と、
前記第２入力手段により入力された暗証情報と、前記読出手段により読み出された暗証情報と、が一致するか否かを判定する判定手段と、
前記判定手段による判定結果を出力する判定結果出力手段と、
を備えることを特徴とする。
【００１２】
請求項５に記載の発明は、
請求項１〜４の何れか一項に記載のＩＤカード発行システムにおいて、
前記申請者の暗証情報は、暗証番号又は当該申請者の生体認証情報であることを特徴とする。
【００１３】
請求項６に記載の発明は、
請求項１〜５の何れか一項に記載のＩＤカード発行システムにおいて、
前記受付装置及び／又は前記作成装置がオフラインであることを特徴とする。  
【００１４】
請求項７に記載の発明は、
請求項１に記載のＩＤカード発行システムにおけるＩＤカード発行方法において、
前記入力手段が、前記申請者の暗証情報を入力する入力ステップと、
前記暗号化手段が、前記入力ステップで入力された暗証情報を暗号化する暗号化ステップと、
前記出力手段が、前記暗号化ステップで暗号化された暗証情報を、前記申請書に出力する出力ステップと、
前記解読手段が、前記出力ステップで申請書に出力された暗号化暗証情報を解読する解読ステップと、
前記作成手段が、前記解読ステップで解読された暗証情報を含むＩＤカード情報を記憶したＩＤカードを作成する作成ステップと、
を備えることを特徴とする。
【発明の効果】
【００１５】
請求項１及び７に記載の発明によれば、暗号化暗証情報を、申請書にプリント出力することができるため、申請書の郵送時やＩＤカード発行後における、申請書に記入された暗証情報の漏洩を防止することができることとなって、簡易に且つ低コストに暗証情報を管理することができる。
【００１６】
請求項２に記載の発明によれば、請求項１に記載の発明と同様の効果が得られることは無論のこと、指示手段により指示されると、記憶手段に記憶された暗証情報が消去されるため、ＩＤカード発行後における、記憶手段に記憶された暗証情報の漏洩を防止することができることとなって、より一層、簡易に且つ低コストに暗証情報を管理することができる。
また、例えば、ＩＤカードの作成に失敗した場合でも、指示手段により指示されるまでは、暗証情報は記憶手段に記憶されたままであるため、再度申請書から暗号化暗証情報を解読して暗証情報を取得する必要がなくなって、使い勝手がよい。
【００１７】
請求項３に記載の発明によれば、請求項１又は２に記載の発明と同様の効果が得られることは無論のこと、暗証情報を、所定の第１鍵を使用して暗号化し、当該暗号化された暗号化暗証情報を、所定の第２鍵を使用して解読するため、利便性が高い。
【００１８】
請求項４に記載の発明によれば、請求項１〜３の何れか一項に記載の発明と同様の効果が得られることは無論のこと、作成装置により作成されたＩＤカードを、申請者（ＩＤカードを受け取りに来た者）に交付する前に、当該ＩＤカードを受け取りに来た者が入力した暗証情報と、当該作成されたＩＤカードに記憶された暗証情報と、が一致するか否か判定することができるため、申請者になりすました者にＩＤカードを交付してしまうことを防止することができる。
【００１９】
請求項５に記載の発明によれば、請求項１〜４の何れか一項に記載の発明と同様の効果が得られることは無論のこと、暗証情報を、暗証番号又は申請者の生体認証情報とすることができるので、簡易且つ確実に暗証情報を設定することができる。
【００２０】
請求項６に記載の発明によれば、請求項１〜５の何れか一項に記載の発明と同様の効果が得られることは無論のこと、受付装置及び／又は作成装置がオフラインであるため、受付装置から作成装置に申請書を郵送しなければならないが、当該郵送時における、申請書に記入された暗証情報の漏洩も防止することができることとなって、簡易に且つ低コストに暗証情報を管理することができる。
【発明を実施するための最良の形態】
【００２１】
以下、図を参照して、本発明にかかるＩＤカード発行システム及びＩＤカード発行方法の最良の形態を詳細に説明する。なお、発明の範囲は、図示例に限定されない。
【００２２】
[第１の実施の形態]
まず、第１の実施の形態におけるＩＤカード発行システム１及びＩＤカード発行方法について説明する。
【００２３】
＜ＩＤカード発行システムの構成＞
まず、ＩＤカード発行システム１の構成について、図１〜３を参照して説明する。
ＩＤカード発行システム１は、例えば、図１に示すように、申請者からの申請書の提出によってＩＤカードの発行申請を受け付けるとともに、作成装置１３により作成されたＩＤカードを当該申請者に交付する受付交付装置１１と、受付交付装置１１により受け付けられた申請者からのＩＤカードの発行申請に従って当該申請者のＩＤカードを作成する作成装置１３と、を備えて構成される。
また、ＩＤカード発行システム１は、例えば、作成装置１３と接続するサーバ装置１５を備えている。
【００２４】
ＩＤカード発行システム１においては、例えば、受付交付装置１１と作成装置１３とが、異なる場所に設置されており、オンラインで繋がっていないこととする。
そして、申請者から提出された申請書は、例えば、受付交付装置１１が設置された場所から作成装置１３が設置された場所に郵送され、作成装置１３により作成されたＩＤカードは、作成装置１３が設置された場所から受付交付装置１１が設置された場所に郵送されることとする。
【００２５】
申請者から提出された申請書には、例えば、申請者の証明写真が貼付されており、申請者のＩＤ番号や申請者の個人情報（住所、氏名、国籍・本籍、生年月日など）などが記入されている。
また、申請書には、例えば、暗号化暗証情報としての暗号化暗証番号がプリント出力される「暗号化暗証番号プリント欄」が設けられている。
【００２６】
サーバ装置１５は、例えば、図１に示すように、個人情報データベース１５１を有している。
個人情報データベース１５１は、例えば、申請者のＩＤ番号と、当該申請者の個人情報と、などを対応付けて記憶している。
【００２７】
（受付交付装置の構成）
受付交付装置１１は、例えば、図２に示すように、暗証番号入力部１１１と、暗号化暗証番号プリント部１１２と、暗証番号読出部１１３と、表示部１１４と、制御部１１５と、などを備えて構成される。
【００２８】
暗証番号入力部１１１は、例えば、数字キー等から構成され、申請者のキー操作に伴う押下信号を、制御部１１５に出力する。
具体的には、暗証番号入力部１１１は、例えば、入力手段及び第２入力手段として、申請者が暗証情報としての暗証番号（例えば、４桁の数字）を入力する際に操作される。
【００２９】
暗号化暗証番号プリント部１１２は、例えば、出力手段として、制御部１１５から入力される制御信号に従って、暗号化プログラム１１５３ａを実行したＣＰＵ１１５１（後述）により暗号化された暗号化暗証番号（例えば、文字列）を、申請者が提出した申請書の「暗号化暗証番号プリント欄」にプリント出力する。
【００３０】
暗証番号読出部１１３は、例えば、読出手段として、制御部１１５から入力される制御信号に従って、作成装置１３により作成されたＩＤカードに組み込まれた磁気テープやＩＣチップに記憶された暗証番号を読み出して、制御部１１５に出力する。
暗証番号読出部１１３としては、例えば、磁気読取装置やリーダ／ライタユニット（Ｒ／Ｗユニット）などが適用可能である。
【００３１】
表示部１１４は、例えば、ＬＣＤ（Liquid Crystal Display）パネル等から構成され、制御部１１５から入力される表示信号に従って所与の表示処理を行う。
具体的には、表示部１１４は、例えば、判定結果出力手段として、判定プログラム１１５３ｂを実行したＣＰＵ１１５１（後述）による判定結果を出力する。
【００３２】
制御部１１５は、例えば、図２に示すように、ＣＰＵ（Central Processing Unit）１１５１と、ＲＡＭ（Random Access Memory）１１５２と、ＲＯＭ（Read Only Memory）１１５３と、などを備えている。
【００３３】
ＣＰＵ１１５１は、ＲＯＭ１１５３に記憶された受付交付装置１１用の各種処理プログラムに従って各種の制御動作を行う。
【００３４】
ＲＡＭ１１５２は、ＣＰＵ１１５１によって実行される処理プログラムなどを展開するためのプログラム格納領域や、入力データや上記処理プログラムが実行される際に生じる処理結果などを格納するデータ格納領域などを備える。
【００３５】
ＲＯＭ１１５３は、受付交付装置１１で実行可能なシステムプログラム、当該システムプログラムで実行可能な各種処理プログラム、これら各種処理プログラムを実行する際に使用されるデータ、ＣＰＵ１１５１によって演算処理された処理結果のデータなどを記憶する。なお、プログラムは、コンピュータが読み取り可能なプログラムコードの形でＲＯＭ１１５３に記憶されている。
具体的には、ＲＯＭ１１５３は、例えば、図２に示すように、暗号化プログラム１１５３ａと、判定プログラム１１５３ｂと、などを記憶している。
【００３６】
暗号化プログラム１１５３ａは、例えば、暗号化手段として、申請者による暗証番号入力部１１１の操作により入力された暗証番号（例えば、４桁の数字）を暗号化して、暗号化暗証番号（例えば、文字列）を生成する機能を、ＣＰＵ１１５１に実現させる。
具体的には、ＣＰＵ１１５１は、例えば、所定の第１鍵（例えば、所定の公開鍵）を使用して、暗証番号を暗号化する。
ＣＰＵ１１５１は、かかる暗号化プログラム１１５３ａを実行することによって、暗号化手段として機能する。
【００３７】
判定プログラム１１５３ｂは、例えば、暗証番号入力部１１１により入力された暗証番号（具体的には、作成装置１３により作成されたＩＤカードの交付時に申請者が入力した暗証番号）と、暗証番号読出部１１３により読み出された暗証番号（具体的には、作成装置１３により作成されたＩＤカードに記憶された暗証番号）と、が一致するか否かを判定する機能を、ＣＰＵ１１５１に実現させる。
ＣＰＵ１１５１は、かかる判定プログラム１１５３ｂを実行することによって、判定手段として機能する。
【００３８】
（作成装置の構成）
作成装置１３は、例えば、図３に示すように、暗号化暗証番号・ＩＤ番号読取部１３１と、記憶部１３２と、撮影部１３３と、ＩＤカード作成部１３４と、入力部１３５と、制御部１３６と、などを備えて構成される。
【００３９】
暗号化暗証番号・ＩＤ番号読取部１３１は、例えば、制御部１３６から入力される制御信号に従って、受付交付装置１１が設置された場所から郵送された申請書の「暗号化暗証番号プリント欄」にプリント出力された暗号化暗証番号を読み取るとともに、当該申請書に記入されたＩＤ番号を読み取って、制御部１３６に出力する。
暗号化暗証番号・ＩＤ番号読取部１３１としては、例えば、スキャナや光学式文字読取装置（ＯＣＲ装置）などが適用可能である。
【００４０】
記憶部１３２は、例えば、磁気テープ装置や磁気ディスク装置などの磁気記憶装置等から構成され、記憶手段として、制御部１３６から入力される制御信号に従って、暗号化暗証番号・ＩＤ番号読取部１３１により読み取られて解読プログラム１３６３ａを実行したＣＰＵ１３６１（後述）により解読された暗証番号と、暗号化暗証番号・ＩＤ番号読取部１３１により読み取られたＩＤ番号とを対応付けて記憶する。
そして、制御部１３６は、例えば、オペレータにより操作された入力部１３５の指示に従って、記憶部１３２に記憶された所定の暗証番号やＩＤ番号を消去する。
すなわち、記憶部１３２には、暗証番号やＩＤ番号が、一時的に記憶される。
【００４１】
撮影部１３３は、例えば、制御部１３６から入力される制御信号に従って、受付交付装置１１が設置された場所から郵送された申請書に貼付された証明写真を撮影し、所定の処理を施して証明写真画像を生成し、そして、制御部１３６に出力する。
【００４２】
ＩＤカード作成部１３４は、例えば、作成手段として、制御部１３６から入力される制御信号に従って、解読プログラム１３６３ａを実行したＣＰＵ１３６１（後述）により解読された暗証番号を含むＩＤカード情報を記憶したＩＤカードを作成する。
ここで、ＩＤカード情報とは、例えば、暗証番号と、ＩＤ番号と、個人情報と、などを含む情報である。
具体的には、ＩＤカード作成部１３４は、例えば、磁気書込装置やＲ／Ｗユニットなどから構成され、ＩＤカード情報を、ＩＤカードに組み込まれた磁気テープやＩＣチップに記憶させる。さらに、ＩＤカード作成部１３４は、例えば、ＩＤカード情報や撮影部１３３により撮影されて生成された証明写真画像などを、ＩＤカードの表面にプリント出力する。
【００４３】
入力部１３５は、例えば、カーソルキー、文字／数字キー、各種機能キーなどから構成され、オペレータのキー操作に伴う押下信号を制御部１３６に出力する。
具体的には、入力部１３５は、例えば、指示手段として、オペレータがＩＤカード作成部１３４により作成されたＩＤカードに記憶された暗証番号を、記憶部１３２から消去するよう指示する際に操作される。オペレータは、例えば、ＩＤカード作成部１３４により作成されたＩＤカードを検品して、ＩＤカードが正常に作成されていれば、記憶部１３２から暗証番号を消去するよう指示し、ＩＤカードが正常に作成されていなければ、ＩＤカードを作成し直すよう指示する。
また、入力部１３５は、例えば、サーバ装置１５が有する個人情報データベース１５１に記憶された個人情報を更新するために、或いは、個人情報データベース１５１に新規の個人情報を記憶させるために、オペレータが申請書に記入されたＩＤ番号や個人情報を入力する際に操作される。
【００４４】
制御部１３６は、例えば、ＣＰＵ１３６１と、ＲＡＭ１３６２と、ＲＯＭ１３６３と、などを備えている。
【００４５】
ＣＰＵ１３６１は、ＲＯＭ１３６３に記憶された作成装置１３用の各種処理プログラムに従って各種の制御動作を行う。
【００４６】
ＲＡＭ１３６２は、ＣＰＵ１３６１によって実行される処理プログラムなどを展開するためのプログラム格納領域や、入力データや上記処理プログラムが実行される際に生じる処理結果などを格納するデータ格納領域などを備える。
【００４７】
ＲＯＭ１３６３は、作成装置１３で実行可能なシステムプログラム、当該システムプログラムで実行可能な各種処理プログラム、これら各種処理プログラムを実行する際に使用されるデータ、ＣＰＵ１３６１によって演算処理された処理結果のデータなどを記憶する。なお、プログラムは、コンピュータが読み取り可能なプログラムコードの形でＲＯＭ１３６３に記憶されている。
具体的には、ＲＯＭ１３６３は、例えば、図３に示すように、解読プログラム１３６３ａと、ＩＤカード作成制御プログラム１３６３ｂと、などを記憶している。
【００４８】
解読プログラム１３７３ａは、例えば、受付交付装置１１の暗号化暗証番号プリント部１１２により申請書に出力されて、暗号化暗証番号・ＩＤ番号読取部１３１により読み取られた暗号化暗証番号を解読する機能を、ＣＰＵ１３６１に実現させる。
具体的には、ＣＰＵ１３６１は、例えば、受付交付装置１１の暗号化プログラム１１５３ａを実行したＣＰＵ１１５１により使用された所定の第１鍵に対応する所定の第２鍵（例えば、所定の秘密鍵）を使用して、暗号化暗証番号を解読する。
ＣＰＵ１３６１は、かかる解読プログラム１３７３ａを実行することによって、解読手段として機能する。
【００４９】
ＩＤカード作成制御プログラム１３６３ｂは、例えば、ＩＤカード作成部１３４に制御信号を入力して、ＩＤカード作成部１３４に、ＩＤカードを作成させる機能を、ＣＰＵ１３６１に実現させる。
具体的には、ＣＰＵ１３６１は、例えば、まず、暗号化暗証番号・ＩＤ番号読取部１３１により読み取られたＩＤ番号に対応する個人情報を、サーバ装置１５が有する個人情報データベース１５１から取得する。
次いで、ＣＰＵ１３６１は、例えば、ＩＤカード情報（当該読み取られて記憶部１３２に記憶されたＩＤ番号と、暗号化暗証番号・ＩＤ番号読取部１４１により読み取られて解読プログラム１３６３ａを実行したＣＰＵ１３６１により解読されて記憶部１３２に記憶された暗証番号と、当該取得された個人情報と、などを含む情報）や、撮影部１３３により撮影されて生成された証明写真画像などに基づいて、ＩＤカード作成部１３４にＩＤカードを作成させる。
【００５０】
＜ＩＤカード発行方法＞
次に、ＩＤカード発行システム１によるＩＤカード発行方法について、図４〜６のフローチャートを参照して説明する。
ここで、実線で囲んだ処理は、受付交付装置１１又は作成装置１３が実行する処理であり、破線で囲んだ処理は、受付交付装置１１又は作成装置１３のオペレータが実行する処理である。
【００５１】
（受付処理）
まず、ＩＤカード発行システム１の受付交付装置１１による、ＩＤカードの発行申請の受付に関する処理について、図４のフローチャートを参照して説明する。
【００５２】
まず、受付交付装置１１において、申請者からの申請書の提出によってＩＤカードの発行申請を受け付けて（ステップＳ１０１）、受付交付装置１１のオペレータが、申請者の顔と、申請書に貼付された証明写真の顔とを比較して、申請者の本人確認を行う（ステップＳ１０２）。
【００５３】
次いで、申請者による暗証番号入力部１１１の操作によって、暗証番号が入力されると（ステップＳ１０３）、受付交付装置１１のＣＰＵ１１５１は、暗号化プログラム１１５３ａを実行して、ステップＳ１０３で入力された暗証番号を暗号化する（ステップＳ１０４）。
【００５４】
次いで、ＣＰＵ１１５１は、暗号化暗証番号プリント部１１２に、ステップＳ１０４で暗号化された暗号化暗証番号を、ステップＳ１０１で受け付けられた申請書の「暗号化暗証番号プリント欄」にプリント出力させる（ステップＳ１０５）。
【００５５】
次いで、ステップＳ１０５で暗号化暗証番号がプリント出力された申請書が、受付交付装置１１が設置された場所から作成装置１３が設置された場所に郵送されると（ステップＳ１０６）、本処理は終了する。
【００５６】
（作成処理）
次に、ＩＤカード発行システム１の作成装置１３による、ＩＤカードの作成に関する処理について、図５のフローチャートを参照して説明する。
【００５７】
作成装置１３において、受付処理（図４）のステップＳ１０６で郵送された申請書を受け付けて（ステップＳ１２１）、暗号化暗証番号・ＩＤ番号読取部１３１が、ステップＳ１２１で受け付けられた申請書から暗号化暗証番号やＩＤ番号を読み取ると（ステップＳ１２２）、作成装置１３のＣＰＵ１３７１は、解読プログラム１３６３ａを実行して、ステップＳ１２２で読み取られた暗号化暗証番号を解読する（ステップＳ１２３）。
【００５８】
次いで、ＣＰＵ１３７１は、ステップＳ１２３で解読された暗証番号と、ステップＳ１２２で読み取られたＩＤ番号とを対応付けて、記憶部１３２に記憶させる（ステップＳ１２４）。
【００５９】
次いで、撮影部１３３が、ステップＳ１２１で受け付けられた申請書に貼付された証明写真を撮影して証明写真画像を生成すると（ステップＳ１２５）、ＣＰＵ１３７１は、ＩＤカード作成制御プログラム１３６３ｂを実行して、ステップＳ１２２で読み取られたＩＤ番号に対応する個人情報を、サーバ装置１５が有する個人情報データベース１５１から取得し（ステップＳ１２６）、ＩＤカード情報（ステップＳ１２４で記憶部１３２に記憶された暗証番号やＩＤ番号と、ステップＳ１２６で取得された個人情報と、などを含む情報）や、ステップＳ１２５で撮影されて生成された証明写真画像などに基づいて、ＩＤカード作成部１３４にＩＤカードを作成させる（ステップＳ１２７）。
【００６０】
次いで、オペレータが、ステップＳ１２７で作成されたＩＤカードを検品して（ステップＳ１３８）、ＩＤカードが正常に作成されているか否かを判断する（ステップＳ１２９）。
【００６１】
ステップＳ１２９で、オペレータが、ＩＤカードが正常に作成されていないと判断し（ステップＳ１２９；Ｎｏ）、当該オペレータによる入力部１３５の操作によって、ＩＤカードを作成し直すよう指示されると、ＣＰＵ１３６１は、ステップＳ１２７以降の処理を繰り返して行う。
【００６２】
一方、ステップＳ１２９で、オペレータが、ＩＤカードが正常に作成されていると判断し（ステップＳ１２９；Ｙｅｓ）、当該オペレータによる入力部１３５の操作によって、記憶部１３２に記憶された暗証番号やＩＤ番号を消去するよう指示されると、ＣＰＵ１３６１は、ステップＳ１２４で記憶部１３２に記憶され、ステップＳ１２７で作成されたＩＤカードに記憶された暗証番号とそれに対応するＩＤ番号を、記憶部１３２から消去する（ステップＳ１３０）。
【００６３】
次いで、ステップＳ１２７で作成されたＩＤカードが、作成装置１３が設置された場所から受付交付装置１１が設置された場所に郵送されると（ステップＳ１３１）、本処理は終了する。
【００６４】
（交付処理）
次に、ＩＤカード発行システム１の受付交付装置１１による、ＩＤカードの交付に関する処理について、図６のフローチャートを参照して説明する。
【００６５】
受付交付装置１１において、作成処理（図５）のステップＳ１３１で郵送されたＩＤカードを受け付けて（ステップＳ１４１）、申請者による暗証番号入力部１１１の操作によって、暗証番号が入力されて（ステップＳ１４２）、暗証番号読出部１１３が、ステップＳ１４１で受け付けられたＩＤカードから暗証番号を読み出すと（ステップ１４３）受付交付装置１１のＣＰＵ１１５１は、判定プログラム１１５３ｂを実行して、ステップＳ１４２で入力された暗証番号と、ステップＳ１４３で読み出された暗証番号と、が一致するか否かを判定する（ステップＳ１４４）。
【００６６】
ステップＳ１４４で、ステップＳ１４２で入力された暗証番号と、ステップＳ１４３で読み出された暗証番号と、が一致しないと判定すると（ステップＳ１４４；Ｎｏ）、ＣＰＵ１１５１は、その旨を、表示部１１４に表示して（ステップＳ１４５）、受付交付装置１１のオペレータに、申請者（作成されたＩＤカードを受け取りに来た者）の本人確認を行うよう促して、本処理を終了する。
【００６７】
一方、ステップＳ１４４で、ステップＳ１４２で入力された暗証番号と、ステップＳ１４３で読み出された暗証番号と、が一致すると判定すると（ステップＳ１４４；Ｙｅｓ）、ＣＰＵ１１５１は、その旨を、表示部１１４に表示して（ステップＳ１４６）、受付交付装置１１のオペレータに、申請者（作成されたＩＤカードを受け取りに来た者）にＩＤカードを交付するよう促す。
【００６８】
次いで、ステップＳ１４６での表示に従って、受付交付装置１１のオペレータにより、申請者（作成されたＩＤカードを受け取りに来た者）にＩＤカードが交付されると（ステップＳ１４７）、本処理は終了する。
【００６９】
以上説明した第１の実施の形態におけるＩＤカード発行システム１によれば、申請者からの申請書の提出によってＩＤカードの発行申請を受け付けるとともに、作成装置１３により作成されたＩＤカードを当該申請者に交付する受付交付装置１１と、受付交付装置１１により受け付けられた申請者からのＩＤカードの発行申請に従って当該申請者のＩＤカードを作成する作成装置１３と、を備えて構成される。
【００７０】
そして、受付交付装置１１は、暗証番号入力部１１１によって、申請者が暗証情報としての暗証番号を入力することができ、暗号化プログラム１１５３ａを実行したＣＰＵ１１５１によって、申請者による暗証番号入力部１１１の操作により入力された暗証番号を暗号化することができ、暗号化暗証番号プリント部１１２によって、暗号化プログラム１１５３ａを実行したＣＰＵ１１５１により暗号化された暗号化暗証番号を、申請者により提出された申請書にプリント出力することができる。
また、作成装置１３は、解読プログラム１３６３ａを実行したＣＰＵ１３６１によって、暗号化暗証番号プリント部１１２により申請書に出力された暗号化暗証番号を解読することができ、ＩＤカード作成部１３４によって、解読プログラム１３６３ａを実行したＣＰＵ１３６１により解読された暗証番号を含むＩＤカード情報を記憶したＩＤカードを作成することができる。
したがって、申請書の郵送時やＩＤカードの発行後における、申請書に記入された暗証番号の漏洩を防止することができることとなって、簡易に且つ低コストに暗証情報を管理することができる。
【００７１】
また、作成装置１３は、記憶部１３２によって、解読プログラム１３６３ａを実行したＣＰＵ１３６１により解読された暗証番号を記憶することができ、オペレータによる入力部１３５の操作によって、ＩＤカード作成部１３４により作成されたＩＤカードに記憶された暗証番号を、記憶部１３２から消去するよう指示することができ、記憶部１３２は、オペレータにより操作された入力部１３５からの指示に従って、暗証番号を消去することができる。
すなわち、オペレータによる入力部１３５の操作により指示されると、記憶部１３２に記憶された暗証番号が消去されるため、ＩＤカードの発行後における、記憶部１３２に記憶された暗証番号の漏洩を防止することができることとなって、より一層、簡易に且つ低コストに暗証情報を管理することができる。
また、例えば、ＩＤカードの作成に失敗した場合でも、オペレータによる入力部１３５の操作により指示されるまでは、暗証番号は記憶部１３２に記憶されたままであるため、再度申請書から暗号化暗証番号を解読して暗証番号を取得する必要がなくなって、使い勝手がよい。
【００７２】
また、受付交付装置１１の暗号化プログラム１１５３ａを実行したＣＰＵ１１５１は、所定の第１鍵（例えば、所定の公開鍵）を使用して、暗証番号を暗号化し、作成装置１３の解読プログラム１３６３ａを実行したＣＰＵ１３６１は、所定の第１鍵に対応する所定の第２鍵（例えば、所定の秘密鍵）を使用して、当該暗号化された暗号化暗証番号を解読することができるため、利便性が高い。
【００７３】
また、受付交付装置１１は、暗証番号入力部１１１によって、申請者（作成されたＩＤカードを受け取りに来た者）が暗証番号を入力することができ、暗証番号読出部１１３によって、作成装置１３のＩＤカード作成部１３４により作成されたＩＤカードに記憶された暗証番号を読み出すことができ、判定プログラム１１５３ｂを実行したＣＰＵ１１５１によって、申請者（作成されたＩＤカードを受け取りに来た者）による暗証番号入力部１１１の操作により入力された暗証番号と、暗証番号読出部１１３により読み出された暗証番号と、が一致するか否かを判定することができ、表示部１１４によって、判定プログラム１１５３ｂを実行したＣＰＵ１１５１による判定結果を出力することができる。
したがって、申請者になりすました者にＩＤカードを交付してしまうことを防止することができる。
【００７４】
[第２の実施の形態]
次に、第２の実施の形態におけるＩＤカード発行システム２及びＩＤカード発行方法について説明する。
【００７５】
＜ＩＤカード発行システムの構成＞
まず、ＩＤカード発行システム２の構成について、図７〜９を参照して説明する。
なお、第２の実施の形態におけるＩＤカード発行システム２は、受付交付装置２１と、作成装置２３と、サーバ装置２５がネットワークＮに接続されている点が、第１の実施の形態におけるＩＤカード発行システム２（図１〜３）と異なる。具体的には、ＩＤカード発行システム１（図１〜３）における受付交付装置１１の構成の一部、作成装置１３の構成の一部及びサーバ装置１５の構成の一部が異なる。したがって、異なる箇所のみについて説明し、その他の共通する部分は同一符号を付して説明する。
【００７６】
ＩＤカード発行システム２は、例えば、図７に示すように、申請者からのＩＤカードの発行申請を受け付けるとともに、作成装置２３により作成されたＩＤカードを当該申請者に交付する受付交付装置２１と、受付交付装置２１により受け付けられた申請者からのＩＤカードの発行申請に従って当該申請者のＩＤカードを作成する作成装置２３と、ネットワークＮを介して、受付交付装置２１と作成装置２３とに接続されるサーバ装置２５と、を備えて構成される。
【００７７】
ＩＤカード発行システム２においては、例えば、受付交付装置２１と作成装置２３とが、異なる場所に設置されていることとする。
そして、作成装置２３により作成されたＩＤカードは、作成装置２３が設置された場所から受付交付装置２１が設置された場所に郵送されることとする。
【００７８】
申請者から提出された申請書には、例えば、申請者の証明写真が貼付されており、申請者のＩＤ番号や申請者の個人情報（住所、氏名、国籍・本籍、生年月日など）などが記入されている。
【００７９】
ネットワークＮは、例えば、専用線により構築された通信ネットワークであり、ＷＡＮ（Wide Area Network）等の回線形態を適用することが可能である。
【００８０】
サーバ装置２５は、例えば、図７に示すように、個人情報データベース２５１を有している。
個人情報データベース２５１は、例えば、申請者のＩＤ番号と、当該申請者の個人情報と、などを対応付けて記憶している。
【００８１】
また、サーバ装置２５は、例えば、受付交付装置２１から送信された、暗号化暗証番号や、証明写真画像、ＩＤ番号を受信すると、個人情報データベース２５１に記憶されたＩＤ番号に対応付けて、当該受信された暗号化暗証番号や証明写真画像を、個人情報データベース２５１に記憶させる。
そして、サーバ装置２５は、例えば、作成装置２３から入力される制御信号に従って、個人情報データベース２５１に記憶された所定の暗号化暗証番号や証明写真画像を消去する。
すなわち、個人情報データベース２５１には、暗号化暗証番号や証明写真画像が、一時的に記憶される。
【００８２】
（受付交付装置の構成）
受付交付装置２１は、例えば、図８に示すように、暗証番号入力部１１１と、暗証番号読出部１１３と、表示部１１４と、撮影部２１６と、ＩＤ番号読取部２１７と、第１通信部２１８と、個人情報入力部２１９と、制御部２１５と、などを備えて構成される。
【００８３】
撮影部２１６は、例えば、制御部２１５から入力される制御信号に従って、申請者が提出した申請書に貼付された証明写真を撮影し、所定の処理を施して証明写真画像を生成し、そして、制御部２１５に出力する。
【００８４】
ＩＤ番号読取部２１７は、例えば、制御部２１５から入力される制御信号に従って、申請者が提出した申請書に記入されたＩＤ番号を読み取って、制御部２１５に出力する。
【００８５】
第１通信部２１８は、例えば、ネットワークＮ上のサーバ装置２５と双方向通信を行って、サーバ装置２５との間で各種情報の送受信を行う。
具体的には、第１通信部２１８は、例えば、制御部２１５から入力される制御信号に従って、暗号化暗証番号と、証明写真画像と、ＩＤ番号とを、ネットワークＮを介して、サーバ装置２５に送信する。
【００８６】
個人情報入力部２１９は、例えば、カーソルキー、文字／数字キー、各種機能キーなどから構成され、オペレータのキー操作に伴う押下信号を制御部２１５に出力する。
具体的には、個人情報入力部２１９は、例えば、サーバ装置２５が有する個人情報データベース２５１に記憶された個人情報を更新するために、或いは、個人情報データベース２５１に新規の個人情報を記憶させるために、オペレータが申請者に記入されたＩＤ番号や個人情報を入力する際に操作される。
【００８７】
制御部２１５は、例えば、図８に示すように、ＣＰＵ１１５１と、ＲＡＭ１１５２と、ＲＯＭ２１５３と、などを備えている。
【００８８】
ＲＯＭ２１５３は、受付交付装置２１で実行可能なシステムプログラム、当該システムプログラムで実行可能な各種処理プログラム、これら各種処理プログラムを実行する際に使用されるデータ、ＣＰＵ１１５１によって演算処理された処理結果のデータなどを記憶する。なお、プログラムは、コンピュータが読み取り可能なプログラムコードの形でＲＯＭ２１５３に記憶されている。
具体的には、ＲＯＭ２１５３は、例えば、図８に示すように、暗号化プログラム１１５３ａと、判定プログラム１１５３ｂと、送信制御プログラム２１５３ｃと、などを記憶している。
【００８９】
送信制御プログラム２１５３ｃは、例えば、第１通信部２１８に制御信号を入力して、第１通信部２１８に、暗証番号入力部１１１により入力され、暗号化プログラム１１５３ａを実行したＣＰＵ１１５１により暗号化された暗号化暗証番号と、撮影部２１６により撮影されて生成された証明写真画像と、ＩＤ番号読取部２１７により読み取られたＩＤ番号とを、ネットワークＮを介して、サーバ装置２５に送信させる機能を、ＣＰＵ１１５１に実現させる。
【００９０】
（作成装置の構成）
作成装置２３は、例えば、図９に示すように、ＩＤカード作成部１３４と、入力部２３５と、第２通信部２３７と、制御部２３６と、などを備えて構成される。
【００９１】
入力部２３５は、例えば、カーソルキー、文字／数字キー、各種機能キーなどから構成され、オペレータのキー操作に伴う押下信号を制御部２３６に出力する。
具体的には、入力部２３５は、例えば、オペレータがＩＤカード作成部１３４により作成されたＩＤカードに記憶された暗証番号の暗号化暗証番号を、サーバ装置２５が有する個人情報データベース２５１から消去するよう指示する際に操作される。
また、入力部２３５は、例えば、申請者のＩＤカードを作成装置２３に作成させるために、オペレータが当該申請者のＩＤ番号を入力する際に操作される。
【００９２】
第２通信部２３７は、例えば、ネットワークＮ上のサーバ装置２５と双方向通信を行って、サーバ装置２５との間で各種情報の送受信を行う。
具体的には、第２通信部２３７は、例えば、制御部２３６から入力される制御信号に従って、サーバ装置２５が有する個人情報データベース２５１から、所定のＩＤ番号に対応する、暗号化暗証番号と、証明写真画像と、個人情報と、などを取得する。
【００９３】
制御部２３６は、例えば、図９に示すように、ＣＰＵ１３６１と、ＲＡＭ１３６２と、ＲＯＭ２３６３と、などを備えている。
【００９４】
ＲＯＭ２３６３は、作成装置２３で実行可能なシステムプログラム、当該システムプログラムで実行可能な各種処理プログラム、これら各種処理プログラムを実行する際に使用されるデータ、ＣＰＵ１３６１によって演算処理された処理結果のデータなどを記憶する。なお、プログラムは、コンピュータが読み取り可能なプログラムコードの形でＲＯＭ２３６３に記憶されている。
具体的には、ＲＯＭ２３６３は、例えば、図９に示すように、解読プログラム２３６３ａと、ＩＤカード作成制御プログラム２３６３ｂと、などを記憶している。
【００９５】
解読プログラム２３６３ａは、例えば、第２通信部２３７によりサーバ装置２５から取得された暗号化暗証番号を解読する機能を、ＣＰＵ１３６１に実現させる。
【００９６】
ＩＤカード作成制御プログラム２３６３ｂは、例えば、ＩＤカード作成部１３４に制御信号を入力して、ＩＤカード作成部１３４に、ＩＤカードを作成させる機能を、ＣＰＵ１３６１に実現させる。
具体的には、ＣＰＵ１３６１は、例えば、まず、第２通信部２３７に制御信号を入力して、第２通信部２３７に、オペレータによる入力部２３５の操作により入力されたＩＤ番号に対応する暗号化暗証番号と、証明写真画像と、個人情報と、などを、サーバ装置２５が有する個人情報データベース２５１から取得させる。
次いで、ＣＰＵ１３６１は、例えば、ＩＤカード情報（当該入力されたＩＤ番号と、当該取得されて解読プログラム２３６３ａを実行したＣＰＵ１３６１により解読された暗証番号と、当該取得された個人情報と、などを含む情報）や、当該取得された証明写真画像に基づいて、ＩＤカード作成部１３４にＩＤカードを作成させる。
【００９７】
＜ＩＤカード発行方法＞
次に、ＩＤカード発行システム２によるＩＤカード発行方法について、図１０〜１２のフローチャートを参照して説明する。
ここで、実線で囲んだ処理は、受付交付装置２１又は作成装置２３が実行する処理であり、破線で囲んだ処理は、受付交付装置２１又は作成装置２３のオペレータが実行する処理である。
【００９８】
（受付処理）
まず、ＩＤカード発行システム２の受付交付装置２１による、ＩＤカードの発行申請の受付に関する処理について、図１０のフローチャートを参照して説明する。
【００９９】
ステップＳ２０１〜Ｓ２０４の処理は、第１の実施の形態における受付処理（図４）のステップＳ１０１〜Ｓ１０４の処理と略同一であるため、詳細な説明は省略する。
【０１００】
次いで、撮影部２１６が、ステップＳ２０１で受け付けられた申請書に貼付された証明写真を撮影して証明写真画像を生成し（ステップＳ２０５）、ＩＤ番号読取部２１７が、ステップＳ２０１で受け付けられた申請書からＩＤ番号を読み取ると（ステップＳ２０６）、ＣＰＵ１１５１は、送信制御プログラム２１５３ｃを実行して、第１通信部２１８に、ステップＳ２０４で暗号化された暗号化暗証番号と、ステップＳ２０５で撮影されて生成された証明写真画像と、ステップＳ２０６で読み取られたＩＤ番号とを、ネットワークＮを介して、サーバ装置２５に送信させ（ステップＳ２０７）、本処理を終了する。
【０１０１】
（作成処理）
次に、ＩＤカード発行システム２の作成装置２３による、ＩＤカードの作成に関する処理について、図１１のフローチャートを参照して説明する。
【０１０２】
作成装置２３のオペレータによる入力部２３５の操作によってＩＤ番号が入力されると（ステップＳ２２１）、作成装置２３のＣＰＵ１３６１は、ＩＤカード作成制御プログラム２３６３ｂを実行して、第２通信部２３７に、ステップＳ２２１で入力されたＩＤ番号に対応する暗号化暗証番号と、証明写真画像と、個人情報とを、サーバ装置２５が有する個人情報データベース２５１から取得させる（ステップＳ２２２）。
【０１０３】
次いで、ＣＰＵ１３６１は、解読プログラム２３６３ａを実行して、ステップＳ２２２で取得された暗号化暗証番号を解読する（ステップＳ２２３）。
【０１０４】
次いで、ＣＰＵ１３７１は、ＩＤカード作成制御プログラム２３６３ｂを実行して、ＩＤカード情報（ステップＳ２２１で入力されたＩＤ番号と、ステップＳ２２３で解読された暗証番号と、ステップＳ２２２で取得された個人情報と、などを含む情報）や、ステップＳ２２２で取得された証明写真画像などに基づいて、ＩＤカード作成部１３４にＩＤカードを作成させる（ステップＳ２２４）。
【０１０５】
次いで、オペレータが、ステップＳ２２４で作成されたＩＤカードを検品して（ステップＳ２２５）、ＩＤカードが正常に作成されているか否かを判断する（ステップＳ２２６）。
【０１０６】
ステップＳ２２６で、オペレータが、ＩＤカードが正常に作成されていないと判断し（ステップＳ２２６；Ｎｏ）、当該オペレータによる入力部２３５の操作によって、ＩＤカードを作成し直すよう指示されると、ＣＰＵ１３６１は、ステップＳ２２４以降の処理を繰り返して行う。
【０１０７】
一方、ステップＳ２２６で、オペレータが、ＩＤカードが正常に作成されていると判断し（ステップＳ２２６；Ｙｅｓ）、当該オペレータによる入力部２３５の操作によって、サーバ装置２５の個人情報データベース２５１に記憶された暗号化暗証番号や証明写真画像を消去するよう指示されると、ＣＰＵ１３６１は、所定の暗号化暗証番号や証明写真画像を消去するよう、第２通信部２３７を介して、サーバ装置２５に指示する（ステップＳ２２７）。
【０１０８】
次いで、ステップＳ２２４で作成されたＩＤカードが、作成装置２３が設置された場所から受付交付装置２１が設置された場所に郵送されると（ステップＳ２２８）、本処理は終了する。
【０１０９】
（交付処理）
ＩＤカード発行システム２の受付交付装置２１による、ＩＤカードの交付に関する処理について、図１２のフローチャートを参照して説明する。
ステップＳ２４１〜Ｓ２４７の処理は、第１の実施の形態における交付処理（図８）のステップＳ１４１〜Ｓ１４７の処理と略同一であるため、詳細な説明は省略する。
【０１１０】
以上説明した第２の実施の形態におけるＩＤカード発行システム２によれば、申請者からのＩＤカードの発行申請を受け付けるとともに、作成装置２３により作成されたＩＤカードを当該申請者に交付する受付交付装置２１と、受付交付装置２１により受け付けられた申請者からのＩＤカードの発行申請に従って当該申請者のＩＤカードを作成する作成装置２３と、を備えて構成される。
【０１１１】
そして、受付交付装置２１は、暗証番号入力部１１１によって、申請者が暗証番号を入力することができ、暗号化プログラム１１５３ａを実行したＣＰＵ１１５１によって、申請者による暗証番号入力部１１１の操作により入力された暗証番号を暗号化することができ、第１通信部２１８によって、暗号化プログラム１１５３ａを実行したＣＰＵ１１５１により送信された暗号化暗証番号を、サーバ装置２５に送信することができる。
また、作成装置２３は、第２通信部２３７によって、第１通信部２１８により送信された暗号化暗証番号を、サーバ装置２５から取得することができ、解読プログラム２３６３ａを実行したＣＰＵ１３６１によって、第２通信部２３７により取得された暗号化暗証番号を解読することができ、ＩＤカード作成部１３４によって、解読プログラム２３６３ａを実行したＣＰＵ１３６１により解読された暗証番号を含むＩＤカード情報を記憶したＩＤカードを作成することができる。
したがって、サーバ装置２５に記憶される暗証番号は暗号化されているため、サーバ装置２５に記憶された暗証番号の漏洩を防止することができることとなって、簡易に且つ低コストに暗証情報を管理することができる。
【０１１２】
また、作成装置２３は、オペレータによる入力部２３５の操作によって、ＩＤカード作成部１３４により作成されたＩＤカードに記憶された暗証番号の暗号化暗証番号を、サーバ装置２５から消去するよう指示することができ、サーバ装置２５は、オペレータにより操作された入力部２３５からの指示に伴い作成装置２３から入力された制御信号に従って、当該暗号化暗証番号を消去することができる。
すなわち、オペレータによる入力部２３５の操作により指示されると、サーバ装置２５に記憶された暗証番号が消去されるため、ＩＤカードの発行後における、サーバ装置２５に記憶された暗証番号の漏洩を確実に防止することができることとなって、より一層、簡易に且つ低コストに暗証情報を管理することができる。
また、例えば、ＩＤカードの作成に失敗した場合でも、オペレータによる入力部２３５の操作により指示されるまでは、暗証番号はサーバ装置２５に記憶されたままであるため、申請者による暗証番号の入力を再度行う必要がなくなって、使い勝手がよい。
【０１１３】
なお、本発明は、上記した実施の形態のものに限るものではなく、その要旨を逸脱しない範囲で適宜変更可能である。
申請書にプリント出力される暗号化暗証番号は、文字列でなく、例えば、バーコード等であってもよい。
また、申請書に暗号化暗証番号をプリント出力するのではなく、例えば、申請書にパンチ穴を開ける等して暗号化暗証番号を出力するようにしてもよい。
【０１１４】
暗証情報は、暗証番号でなく、例えば、申請者の生体認証情報（顔画像や、指紋、虹彩など）でもよい。
【０１１５】
個人情報データベース１５１，２５１は、サーバ装置１５，２５でなく、ローカルＰＣ等が有していてもよい。この場合、サーバ装置１５，２５の処理効率の低下を防止することができる。
【０１１６】
申請者からのＩＤカードの発行申請を受け付ける受付装置と、作成装置１３，２３により作成されたＩＤカードを当該申請者に交付する交付装置とは、受付交付装置１１，２１のように一体的に構成されていなくてもよく、別体であってもよい。
【図面の簡単な説明】
【０１１７】
【図１】第１の実施の形態におけるＩＤカード発行システムの構成を示すブロック図である。
【図２】図１に示す受付交付装置の機能的構成を示すブロック図である。
【図３】図１に示す作成装置の機能的構成を示すブロック図である。
【図４】第１の実施の形態における、ＩＤカード発行システムの受付交付装置による、ＩＤカードの発行申請の受付に関する処理を説明するためのフローチャートである。
【図５】第１の実施の形態における、ＩＤカード発行システム１の作成装置１３による、ＩＤカードの作成に関する処理を説明するためのフローチャートである。
【図６】第１の実施の形態における、ＩＤカード発行システムの受付交付装置による、ＩＤカードの交付に関する処理を説明するためのフローチャートである。
【図７】第２の実施の形態におけるＩＤカード発行システムの構成を示すブロック図である。
【図８】図７に示す受付交付装置の機能的構成を示すブロック図である。
【図９】図７に示す作成装置の機能的構成を示すブロック図である。
【図１０】第２の実施の形態における、ＩＤカード発行システムの受付交付装置による、ＩＤカードの発行申請の受付に関する処理を説明するためのフローチャートである。
【図１１】第２の実施の形態における、ＩＤカード発行システム１の作成装置１３による、ＩＤカードの作成に関する処理を説明するためのフローチャートである。
【図１２】第２の実施の形態における、ＩＤカード発行システムの受付交付装置による、ＩＤカードの交付に関する処理を説明するためのフローチャートである。
【符号の説明】
【０１１８】
１  ＩＤカード発行システム
１１  受付交付装置（受付装置、交付装置）
１１１  暗証番号入力部（入力手段、第２入力手段）
１１２  暗号化暗証番号プリント部（出力手段）
１１３  暗証番号読出部（読出手段）
１１４  表示部（判定結果出力手段）
１１５１  ＣＰＵ（暗号化手段、判定手段）
１１５３ａ  暗号化プログラム（暗号化手段）
１１５３ｂ  判定プログラム（判定手段）
１３  作成装置
１３２  記憶部（記憶手段）
１３４  ＩＤカード作成部（作成手段）
１３５  入力部（指示手段）
１３６１  ＣＰＵ（解読手段）
１３６３ａ  解読プログラム（解読手段）
【図１】
2007293594.tif 000003
【図２】
2007293594.tif 000004
【図３】
2007293594.tif 000005
【図４】
2007293594.tif 000006
【図５】
2007293594.tif 000007
【図６】
2007293594.tif 000008
【図７】
2007293594.tif 000009
【図８】
2007293594.tif 000010
【図９】
2007293594.tif 000011
【図１０】
2007293594.tif 000012
【図１１】
2007293594.tif 000013
【図１２】
2007293594.tif 000014